(57)【要約】      （修正有）【課題】上に積み上げるときに、簡単操作で所用の安定した高さが得られると共に、下ろすときも容易に補助支持具を取り外して、フリー状態で互いの方角制限を切り離せられる収納ボックスの改良構造を提供する。【解決手段】収納ボックスの改良構造は、物品を入れる収納ボックス１上端の開口部に被せる上蓋２と、前部端の開口部一側の周りに枢設する前蓋３と、収納ボックスを積み上げときに、補助支持具４の嵌め合わせに備えて、それぞれの収納ボックス底部にあらかじめ設けられた一側に凹設する空間と、収納ボックス上端の開口部に被せる上蓋の対応区間に形成された収納区域を含む。複数の収納ボックスを上に積み上げ、上層の収納ボックス底部の補助支持具を外側に引き出し、下層収納ボックスに被せる上蓋対応場所の収納区域に嵌着させて、安定な方角制限を得る。【選択図】図１
0003201251.tif 000002
【実用新案登録請求の範囲】
【請求項１】
収納ボックスの改良構造であって、
物品を入れる前記収納ボックス上端の開口部を被せる上蓋と、前部端の開口部一側の周りに枢設する前蓋と、前記収納ボックスを積み上げときに、高速に操作でき、かつ安定性を維持するため、補助支持具の嵌め合わせに備えて、前記それぞれの収納ボックス底部にあらかじめに設けられた一側に凹設する空間と、前記収納ボックス上端の開口部を被せる上蓋の対応区間に形成する収納区域を含む。
複数の収納ボックスを上に積み上げ、上層の収納ボックス底部の補助支持具を外側に引き出して、下層収納ボックスを被せる上蓋対応場所の収納区域に嵌着させ、所定の安定な方角制限が得られることを特徴とする、収納ボックスの改良構造。
【請求項２】
前記補助支持具を嵌め合わせる前記収納ボックスの底部空間であらかじめに設けられた位置に案内部と制限突起部とを形成して、前記補助支持具を外側へ所定距離に引き出されたときに、末端部が制限を受けて、外部に離脱されることを防ぐことを特徴とする、請求項１記載の収納ボックスの改良構造。
【請求項３】
前記収納ボックス前部端の開口部一側の周りは少なくとも一つまたは以上の棒区間を伸ばしており、前記前蓋が下方の周りに内向きの対応場所に区間を凹設して適切な嵌め合わせを提供し、前記前蓋と前記収納ボックスとが確実に一体に枢接されることを確保できることを特徴とする、請求項１記載の収納ボックスの改良構造。
【請求項４】
前記収納ボックス一側の周りに枢接される前記前蓋が上方周りの内向き場所に突起部を延設し、前記上蓋の対応場所に凹設された空間に嵌め合わせることによって、前記前蓋を上方に引き上げるときの方角制限を形成することを特徴とする、請求項１記載の収納ボックスの改良構造。
【請求項５】
前記収納ボックス一側の周りに枢接する前記前蓋が上方周りであらかじめに設けられた位置に少なくとも一つまたは以上の前記突起部を設け、前記上蓋の対応区間の凹所に合わせて嵌め合わせることができることを特徴とする、請求項１記載の収納ボックスの改良構造。
【請求項６】
そのうち、前記収納ボックス上端の開口部に被せる前記上蓋の内向き一側の周りであらかじめに設けられた位置に複数本の突起部を設け、前記収納ボックス前記上端の開口部から外部に伸ばす周りに嵌め込むことによって、前記上蓋と前記収納ボックスと方角制限が維持されることを特徴とする、請求項１記載の収納ボックスの改良構造。
【考案の詳細な説明】
【技術分野】
【０００１】
本考案は主に物品を入れるそれぞれの収納ボックスを上に積み上げるときに、底部であらかじめに設けられた区間で組み付けていた補助支持具を外側に引き出し、隣り合わせた下層の収納ボックス対応場所の収納区域に嵌め込むことによって、所定の安定な方角制限が得られる、収納ボックスの改良構造に関する。
【背景技術】
【０００２】
各種の物品を収納する収納ボックスの形態は非常に多く存在している。そのうち、コンパクトで、しかも簡単に搬送でき、形をあらかじめに設定されたプラスチック部材で成形したボックス体が普及されている。既存の収納ボックスは基本として、強靱なプラスチック部材を一体成形してあらかじめに設計されたスタイルのボックス体であり、そのボックス体の上端開口部周りが外部に折り返して逆Ｕ字の縁を形成して、設定された物品を入れた後に、対応の蓋体を密着して被せることができる。
【考案の概要】
【考案が解決しようとする課題】
【０００３】
係る収納ボックスは使用の面において確かに物入れに便利を提供できる。しかし、蓋体を被せる収納ボックスが複数ある場合は占拠する空間を少なくするために、上に積み上げ、そして、使用者が物品の取り出し／または入れるときには、設定していた層の収納ボックスをいったん下ろし、収納ボックス上部の蓋体を開けて、物品の取り出し、または入れなければならない。
【課題を解決するための手段】
【０００４】
収納ボックスを複数に積み上げるときには、上下に隣接し当接していた収納ボックス同士に方角の制限はなく、まっすぐに積み上げていないか、または取り出すときに隣り合わせた下層にぶつかり、収納ボックスが転倒することはしばしば見受ける。そのため、考案者は前述した収納ボックスの積み上げで安定が維持難しい欠点の対策を考案し、特許を出願されている。
【０００５】
本考案は、前述した同じ種類の収納ボックスを積み上げるときに、安定な積み上げのさらなる利用を考案し、それぞれの収納ボックスを上に積み上げるときに、簡単操作で所用の安定した高さが得られると共に、収納ボックスを下ろすときも容易に取り外して、フリー状態で互いの方角制限を切り離せられる。
【０００６】
本考案は公知の物品を入れる収納ボックスの積み上げに安定性維持の利用をより便利に実施することを図り、それぞれの収納ボックスを上に積み上げるときに、底部であらかじめに設けられた区間に組み付けた補助支持具を外側に引き出して、隣り合わせた下層の収納ボックスの対応場所の収納区域に嵌め込むことで、安定な方角制限が得られる。
【０００７】
本考案の主な目的は、物品を入れる収納ボックス上端の開口部を被せる上蓋と、前部端の開口部一側の周りに枢設する前蓋と、収納ボックスを積み上げるとき高速に操作し互いに安定性を維持するため、補助支持具の嵌め合わせに備える収納ボックス底部であらかじめに設けられた一側に凹設する空間と、収納ボックス上端の開口部を被せる上蓋の対応区間に形成する収納区域と、複数の収納ボックスを上に積み上げて、上層の収納ボックスの補助支持具を外側に引き出して、下層収納ボックスを被せる上蓋の対応場所に嵌着、収納ボックス上端の開口部を被せる上蓋の対応区間に形成する収納区域と、を含む、安定な方角制限が得られる収納ボックスの改良構造を提供する。
【０００８】
本考案の第２目的は、補助支持具を嵌め合わせる収納ボックスの底部空間であらかじめに設けられた位置に案内部と制限突起部とを形成して、補助支持具を外側へ所定距離に引き出されたときに、末端部が制限を受けて、外部に離脱されることを防ぐ収納ボックスの改良構造を提供する。
【０００９】
本考案の第３目的は、収納ボックス前部端の開口部一側の周りに少なくとも一つまたは以上の棒区間を伸ばしており、前蓋が下方の周りは内向きの対応場所に区間を凹設して適切な嵌め合わせを提供し、前蓋と収納ボックスとが確実に一体に枢接されることを確保する収納ボックスの改良構造を提供する。
【００１０】
本考案の第４目的は、収納ボックス一側の周りに枢接する前蓋は上方周りの内向き場所に突起部を延設し、上蓋の対応場所に凹設した空間に嵌め合わせることによって、前蓋を上方に引き上げるときの方角制限を形成する、収納ボックスの改良構造を提供する。
【００１１】
本考案の第５目的は、収納ボックス一側の周りに枢接する前蓋が上方周りであらかじめに設けられた位置に少なくとも一つまたは以上の突起部を設け、上蓋の対応区間の凹所に合わせて嵌め合わせることができる、収納ボックスの改良構造を提供する。
【００１２】
本考案の第６目的は、収納ボックス上端の開口部に被せる上蓋が内向きの一側の周りであらかじめに設けられた位置に複数本の突起部は、収納ボックス上端の開口部が外側に伸ばした周りに嵌め合わせることによって、上蓋と収納ボックスが方角制限を維持できる、収納ボックスの改良構造を提供する。
【図面の簡単な説明】
【００１３】
【図１】本考案の収納ボックスと関連構成品の分解図である。
【図１−１】図１のＡ１部位に示す拡大詳細図である。
【図１−２】図の１の部位Ａ２に示す拡大詳細図である。
【図１−３】図１のＡ３部位に示す拡大詳細図である。
【図１−４】図１のＡ４部位に示す拡大詳細図である。
【図１−５】図１のＡ５部位に示す拡大詳細図である。
【図１−６】図の１の部位Ａ６に示す拡大詳細図である。
【図２】本考案の収納ボックスとその構成品とを組み合わせる前の底面図である。
【図２−１】図２のＡ７部位に示す拡大詳細図である。
【図３】本考案の収納ボックスとその構成品と組み合わせ完了後の外観図である。
【図４】本考案の収納ボックスとその構成品と組み合わせ完了後の上面図である。
【図５】本考案の図４のＢ−Ｂからとった断面図である。
【図５−１】図５のＢ１部位に示す拡大詳細図である。
【図５−２】図５のＢ２部位に示す拡大詳細図である。
【図５−３】図５のＢ３部位に示す拡大詳細図である。
【図６】本考案の図４のＣ−Ｃからとった断面図である。
【図７】図６の態様において、前蓋を外側に引き出す動作を示す図である。
【図８】本考案において、複数の収納ボックスを積み上げた側断面図である。
【図８−１】本考案図８のＢ４部位に示す拡大詳細図である。
【図８−２】図８−１の態様において、上下に畳んだ収納ボックスの方角制限を示す図である。
【考案を実施するための形態】
【実施例】
【００１４】
本考案による収納ボックスの改良構造（図１に示す）は主に、物品を入れる収納ボックス１上端の開口部に被せる上蓋２と、前部端の開口部一側の周りに枢設する前蓋３と、収納ボックス１を積み上げるとき高速に操作し、かつ互いの安定性を維持させる（図２、図２−１、図１−１に示す）ため、補助支持具４の嵌め合わせに備えて、それぞれの収納ボックス１底部であらかじめに設けられた一側に凹設する空間１１（本実施例において、後ろ寄りの一側を実施）と、補助支持具４の嵌め合わせに備える収納ボックス１の底部に空間１１であらかじめに設けられた位置にて、案内部１２と、制限突起部１３を含む。そのうち、案内部１２は補助支持具４を嵌め合わせるときに一定方角に押し込み（図５−３）、補助支持具４を外側に所定距離を引き出されたとき、末端部４１が制限を受けて、外側への離を防ぐ、さらに、制限突起部１３は補助支持具４を引き出す／または戻すときに一定方角の当接を形成して、収納ボックス１上端の開口部を被せる上蓋２の対応区間に収納区域２１（如図３）を形成する。
【００１５】
収納ボックス１前部端開口部一側の周りの外側は、少なくとも一つまたは以上の棒区間１４（図１）を延設していて、前蓋３下方周り内向きの対応場所に凹設する区間３１と適宜に嵌め合わせることによって（図１−５、図６）、前蓋３と収納ボックス１とを確実に一体に枢接して置く。さらに、収納ボックス１一側の周りに枢接する前蓋３上方周りの内向き場所に突起部３２（図１−２）を延設して、上蓋２の対応場所に凹設する空間（図１−３）に切り込んで、前蓋３を上に引き上げるときの方角制限（図５、図５−１）が形成される。引き続き、収納ボックス１一側の周りに枢接する前蓋３は上方周りであらかじめに設けられた位置にて、少なくとも一つまたは以上の突起部３３（図１−６）を設け、上蓋２上端の開口部に合わせて対応区間の凹所２３（図５−１）に嵌め合わせる。さらに、収納ボックス１上端の開口部の上蓋２が上向きの一側の周りにて、あらかじめに設けられた位置に複数本の突起部２４（図１、図１−４）を設け、収納ボックス１上端の開口部から外側に伸ばす周り１５に合わせて嵌め合わせて、上蓋と、収納ボックスとの方角制限（図５、図５−２）を維持させる。
【００１６】
前述した上端の開口部と、前部端の開口部にそれぞれ上蓋２と、前蓋３を組み付けた収納ボックス１（図４、図５に示す）は通常の時に物品が便利に収納／または取り出すことができる。さらに、物品を収納ボックス１前部端の開口部から取り出し／または収納が必要な場合は、手を前蓋３上端一側の略凹所位置３４を握り、合わせて外力を前蓋３が上端寄りの突起部３２を上蓋２に対応場所する空間２２から外部に引き出すことによって（図７に示す）、前蓋３を開けて便利に収納／または取り出しできる。
【００１７】
さらに、物品を入れた複数の収納ボックス１を上に積み上げ（図８）るときは、それぞれ収納ボックス１底部を下層寄りの収納ボックス１上端の開口部を被せる上蓋２にてあらかじめに設けられた凹所空間２５を跨がり、上の層の収納ボックス１底部を補助支持具４に嵌め込み外側に引き出し（図８−１、図８−２）て、下層収納ボックス１を被せる上蓋２の対応場所の収納区域２１に嵌着させ、所要の安定な方角制限が得られる。
【符号の説明】
【００１８】
（本考案）
１            収納ボックス
１１、２２        空間
１２          案内部
１３          制限突起部
１４          棒材
１５          周り
２            上蓋
２１          収納区域
２３          凹所
２４、３３        突起部
２５          凹所空間
３            前蓋
３１          区間
３２          突起部
３４          略凹所位置
４            補助支持具
４１          末端部
【図１】
0003201251.tif 000003
【図１−１】
0003201251.tif 000004
【図１−２】
0003201251.tif 000005
【図１−３】
0003201251.tif 000006
【図１−４】
0003201251.tif 000007
【図１−５】
0003201251.tif 000008
【図１−６】
0003201251.tif 000009
【図２】
0003201251.tif 000010
【図２−１】
0003201251.tif 000011
【図３】
0003201251.tif 000012
【図４】
0003201251.tif 000013
【図５】
0003201251.tif 000014
【図５−１】
0003201251.tif 000015
【図５−２】
0003201251.tif 000016
【図５−３】
0003201251.tif 000017
【図６】
0003201251.tif 000018
【図７】
0003201251.tif 000019
【図８】
0003201251.tif 000020
【図８−１】
0003201251.tif 000021
【図８−２】
0003201251.tif 000022
【手続補正書】
【提出日】平成27年9月25日(2015.9.25)
【手続補正１】
【補正対象書類名】実用新案登録請求の範囲
【補正対象項目名】全文
【補正方法】変更
【補正の内容】
【実用新案登録請求の範囲】
【請求項１】
収納ボックスの改良構造であって、
物品を入れる前記収納ボックス上端の開口部に被せる上蓋と、前部端の開口部一側の周りに枢設する前蓋と、前記収納ボックスを積み上げときに、高速に操作でき、かつ安定性を維持するため、補助支持具の嵌め合わせに備えて、前記それぞれの収納ボックス底部にあらかじめに設けられた一側に凹設する空間と、前記収納ボックス上端の開口部に被せる上蓋の対応区間に形成する収納区域を含み、
複数の収納ボックスを上に積み上げ、上層の収納ボックス底部の補助支持具を外側に引き出して、下層収納ボックスに被せる上蓋対応場所の収納区域に嵌着させ、所定の安定な方角制限が得られることを特徴とする、収納ボックスの改良構造。
【請求項２】
前記補助支持具を嵌め合わせる前記収納ボックスの底部空間であらかじめに設けられた位置に案内部と制限突起部とを形成して、前記補助支持具を外側へ所定距離に引き出されたときに、末端部が制限を受けて、外部に離脱されることを防ぐことを特徴とする、請求項１記載の収納ボックスの改良構造。
【請求項３】
前記収納ボックス前部端の開口部一側の周りは少なくとも一つまたは以上の棒区間を伸ばしており、前記前蓋が下方の周りに内向きの対応場所に区間を凹設して適切な嵌め合わせを提供し、前記前蓋と前記収納ボックスとが確実に一体に枢接されることを確保できることを特徴とする、請求項１記載の収納ボックスの改良構造。
【請求項４】
前記収納ボックス一側の周りに枢接される前記前蓋が上方周りの内向き場所に突起部を延設し、前記上蓋の対応場所に凹設された空間に嵌め合わせることによって、前記前蓋を上方に引き上げるときの方角制限を形成することを特徴とする、請求項１記載の収納ボックスの改良構造。
【請求項５】
前記収納ボックス一側の周りに枢接する前記前蓋が上方周りであらかじめに設けられた位置に少なくとも一つまたは以上の前記突起部を設け、前記上蓋の対応区間の凹所に合わせて嵌め合わせることができることを特徴とする、請求項４記載の収納ボックスの改良構造。
【請求項６】
そのうち、前記収納ボックス上端の開口部に被せる前記上蓋の内向き一側の周りであらかじめに設けられた位置に複数本の突起部を設け、前記収納ボックス前記上端の開口部から外部に伸ばす周りに嵌め込むことによって、前記上蓋と前記収納ボックスと方角制限が維持されることを特徴とする、請求項１記載の収納ボックスの改良構造。